(57)【要約】      （修正有）【課題】内部に収納されている紙芝居セットが飛び出しにくく、また収納に際しても紙芝居セットの挿入状態が不十分となることを防止する紙芝居収納具を提供する。【解決手段】この紙芝居収納具は、紙芝居セットを出し入れするために斜め上方に向けて前方に開口した搬出入口２と、搬出入口２に連通し、紙芝居セットを傾斜状態にて収納する紙芝居セット収納室３と、を備える。紙芝居セット収納室３は、その内部に収納された傾斜状態の紙芝居セットが載置される載置部４を有し、載置部４は、後方に向けて下方に傾斜し、紙芝居セットの下縁部を支持する前側支持板５と、前側支持板５よりも後方に位置し、紙芝居セットの一方の側縁部を支持する後側支持板６と、を含む。【選択図】図２
0003173574.tif 000002
【実用新案登録請求の範囲】
【請求項１】
複数の紙芝居セットを収納するための紙芝居収納具において、前記紙芝居セットを出し入れするために斜め上方に向けて前方に開口した搬出入口と、前記搬出入口に連通し、前記紙芝居セットを傾斜状態にて収納するための紙芝居セット収納室と、を備え、前記紙芝居セット収納室は、その内部に収納された傾斜状態の前記紙芝居セットが載置される載置部を有し、前記載置部は、後方に向けて下方に傾斜し、前記紙芝居セットの下縁部を支持する前側支持板と、前記前側支持板よりも後方に位置し、前記紙芝居セットの一方の側縁部を支持する後側支持板と、を含む、紙芝居収納具。
【請求項２】
前記紙芝居セット収納室の下方に、前記紙芝居セットを平置き状態にて収納可能な追加の収納室が形成されている、請求項１記載の紙芝居収納具。
【請求項３】
前記紙芝居セットを立て掛けることができる表示台を前面に備えた請求項１又は２に記載の紙芝居収納具。
【考案の詳細な説明】
【技術分野】
【０００１】
本考案は、複数の紙芝居セットをその内部に収納するための紙芝居収納具に関する。
【背景技術】
【０００２】
従来の紙芝居整理棚３０は、図３に示したように、前面が開口したボックス状の筐体３１を備えており、この筐体３１の内側下面３２と内側上面３３との間に複数の仕切り板３４が設けられている。
【０００３】
筐体３１の内側下面３２は水平方向に延在しており、紙芝居セットを収納する際には、互いに隣接する仕切板３４同士の間に紙芝居セットを挿入し、筐体３１の内側下面３２に沿って紙芝居セットを滑らせながら押し込むようにする。
【０００４】
即ち、紙芝居セットの挿入時においては、水平方向に延在する内側下面３２に沿って、紙芝居セットが水平方向に押し込まれる。
【０００５】
また、紙芝居整理棚３０から紙芝居セットを取り出す際には、紙芝居セットの前端部を指で摘んで、水平方向に延在する内側下面３２に沿って紙芝居セットを手前に引き出すようにする。
【０００６】
なお、仕切板３４の前端中央部には、紙芝居セットを掴みやすくするために切り欠き３５が設けられている。
【考案の開示】
【考案が解決しようとする課題】
【０００７】
ところが、この従来の紙芝居整理棚３０においては、収納状態において紙芝居セットが載置されている面、即ち筐体３１の内側下面３２が、上述したように水平方向に延在している。このため、紙芝居整理棚３０に対して何らかの振動が加えられると、収納されている紙芝居セットが手前に飛び出しやすいという問題があった。
【０００８】
また、紙芝居セットを紙芝居整理棚３０の中に収納する際には、紙芝居セットを十分に奥まで押し込まないと、紙芝居セットの一部が筐体３１から前方に飛び出した状態となってしまうという問題もあった。
【０００９】
本考案は、上述した従来技術の問題点に鑑みてなされたものであり、その内部に収納されている紙芝居セットが飛び出しにくく、また収納に際しても、紙芝居セットの挿入状態が不十分となることを防止できる紙芝居収納具を提供することを目的とする。
【課題を解決するための手段】
【００１０】
上記課題を解決するために、本考案は、複数の紙芝居セットを収納するための紙芝居収納具において、前記紙芝居セットを出し入れするために斜め上方に向けて前方に開口した搬出入口と、前記搬出入口に連通し、前記紙芝居セットを傾斜状態にて収納するための紙芝居セット収納室と、を備え、前記紙芝居セット収納室は、その内部に収納された傾斜状態の前記紙芝居セットが載置される載置部を有し、前記載置部は、後方に向けて下方に傾斜し、前記紙芝居セットの下縁部を支持する前側支持板と、前記前側支持板よりも後方に位置し、前記紙芝居セットの一方の側縁部を支持する後側支持板と、を含むことを特徴とする。
【００１１】
また、好ましくは、前記紙芝居セット収納室の下方に、前記紙芝居セットを平置き状態にて収納可能な追加の収納室が形成されている。
【００１２】
また、好ましくは、前記紙芝居セットを立て掛けることができる表示台を前面に備える。
【考案の効果】
【００１３】
上記特徴を備えた本考案による紙芝居収納具によれば、紙芝居セット収納室の底面を形成する前側支持板を傾斜させ、紙芝居セットを傾斜状態にて収納することにより、紙芝居セット収納室の内部にて紙芝居セットを安定して保持することができる。このため、紙芝居収納具に衝撃が加えられた場合でも、紙芝居セットが搬出入口から飛び出してしまうようなことがない。
【００１４】
また、紙芝居セットの搬出入口が斜め上方に向けて前方に開口すると共に、紙芝居セット収納室の底面を形成する前側支持板が後方に向けて下方に傾斜しているので、紙芝居セットを収納する際には、傾斜した前側支持板に沿って滑らせるようにしてスムーズに紙芝居セットを挿入することができる。
【００１５】
また、好ましくは、紙芝居セット収納室の下方に追加の収納室を設けることにより、この追加の収納室の中に、例えば次回に上演する紙芝居セットを予め収納しておくことができるので、非常に便利である。
【００１６】
また、好ましくは、表示台を更に設けることにより、この表示台に、次回に上演する紙芝居セットを立て掛けておいたり、或いは上演スケジュール表を貼付したりすることができるので、非常に便利である。
【図面の簡単な説明】
【００１７】
【図１】本考案の一実施形態による紙芝居収納具を示した斜視図。
【図２】図１に示した紙芝居収納具を示した図であり、（ａ）は正面図、（ｂ）は平面図、（ｃ）は縦断面図。
【図３】従来の紙芝居整理棚を示した斜視図。
【考案を実施するための最良の形態】
【００１８】
以下、本考案の一実施形態による紙芝居収納具（紙芝居整理ワゴン）１について、図１及び図２を参照して説明する。
【００１９】
図１に示したように本実施形態による紙芝居収納具１は、紙芝居セットＳ（図２（ｃ））を出し入れするために斜め上方に向けて前方に開口した搬出入口２を備えている。この搬出入口２には、図２（ｃ）に示したように、複数の紙芝居セットＳを傾斜状態にて収納する紙芝居セット収納室３が連通している。
【００２０】
図２（ｃ）に示したように、紙芝居セット収納室３は、その内部に収納された傾斜状態の紙芝居セットＳが載置される載置部４を有する。この載置部４は、後方に向けて下方に傾斜し、紙芝居セットＳの下縁部を支持する前側支持板５と、この前側支持板５よりも後方に位置し、後方に向けて上方に傾斜し、紙芝居セットＳの一方の側縁部を支持する後側支持板６と、を含む。
【００２１】
図１及び図２（ａ）、（ｂ）に示したように、紙芝居セット収納室３の左右側面は左右一対の側板７によって形成されており、前側支持板５の左右の側端縁及び後側支持板６の左右の側端縁は、左右一対の側板７の内面に固定されている。
【００２２】
図２（ｃ）に示したように、前側支持板５の後端縁と後側支持板６の前端縁とが連結され、後側支持板６の後端縁が、左右一対の側板７の後端縁間に設けられた背面板８の内面に接続されている。載置部４の前側支持板５と後側支持板６とは、互いに直交する方向に延在している。
【００２３】
紙芝居セット収納室３の上面は、水平方向に延在する天板９によって形成されている。この天板９は、紙芝居の上演に際して紙芝居を載置するための載置台として利用することができる。
【００２４】
図２（ａ）、（ｃ）に示したように、左右一対の側板７のそれぞれは、紙芝居セット収納室３の位置よりも下方にまで延在しており、各側板７の下端縁同士が底板１０によって連結されている。図１、図２（ａ）、（ｃ）に示したように、底板１０の下面の四隅には、各キャスター１１が設けられている。
【００２５】
図１及び図２（ｃ）に示されているように、左右一対の側板７は、それぞれ、縦長の長方形板の上側前方の隅部を斜めに切り欠いて形成されている。
【００２６】
図１及び図２（ａ）、（ｃ）に示されているように、紙芝居セット収納室３の内部は、垂直方向に延在する複数の仕切板１２によって複数の空間に仕切られている。隣接する仕切板１２によって区切られた区画の中に、１つ又は２以上の紙芝居セットＳを収納することができる。図２（ｃ）から分かるように、各仕切板１２は、各側板７の切欠き縁部１３と平行な前端縁１４を有している。
【００２７】
図１及び図２（ｃ）に示したように、各側板７の上部には、指を差し入れて把持するための貫通孔１５が形成されている。貫通孔１５に指を差し入れて把持することにより、紙芝居収納具１を容易に移動させることができる。
【００２８】
図２（ａ）、（ｃ）に示したように、紙芝居セット収納室３と底板１０との間には、左右一対の側板７の間に掛け渡された水平板１６が設けられており、この水平板１６と底板１０との間の空間が、紙芝居セットＳを平置き状態にて収納できる追加の収納室１７を形成している。
【００２９】
図２（ｃ）に示したように、水平板１６の前方部の上面と前側支持板５の中央部の下面との間に立て板１８がやや傾斜して設けられている。立て板１８の下端よりも前方にて水平板１６の上面にストッパ部１９が設けられている。立て板１８と水平板１６の前端部とによって表示台が形成されている。
【００３０】
立て板１８の前面は、紙芝居セットＳを立て掛けておくことができる大きさを備えており、例えば次回に上演する紙芝居セットＳを立て板１８に立て掛けておくことができる。ストッパ部１９は、紙芝居セットＳが滑り落ちることを防止する。また、立て板１８に、紙芝居の上演スケジュール表を貼付しておくこともできる。
【００３１】
上記構成を備えた本実施形態による紙芝居収納具１によれば、紙芝居セット収納室３の底面を形成する前側支持板５を傾斜させ、紙芝居セットＳを傾斜状態にて収納することにより、紙芝居セット収納室３の内部にて紙芝居セットＳを安定状態にて保持することができる。このため、紙芝居収納具１に衝撃が加えられた場合でも、紙芝居セットＳが搬出入口２から飛び出してしまうようなことがない。
【００３２】
また、紙芝居セットＳの搬出入口２が斜め上方に向けて前方に開口すると共に、紙芝居セット収納室３の底面を形成する前側支持板５が後方に向けて下方に傾斜しているので、紙芝居セットＳを収納する際には、傾斜した前側支持板５に沿って滑らせるようにしてスムーズに紙芝居セットＳを挿入することができる。
【００３３】
また、紙芝居セット収納室３の下方に設けられた追加の収納室１７の中に、例えば次回に使用する紙芝居セットＳを予め収納しておくことができるので、非常に便利である。
【００３４】
また、紙芝居収納具１の立て板１８に、次回に上演する紙芝居セットＳを立て掛けておいたり、或いは上演スケジュール表を貼付したりすることができるので、非常に便利である。
【００３５】
また、紙芝居収納具１の天板９を、紙芝居を上演する際の載置台として使用することができるので、別途載置台を準備する必要がないという利点もある。
【００３６】
なお、上述した実施形態の一変形例としては、追加の収納室１７及び底板１０を省略して、水平板１６を紙芝居収納具１の底板として利用することもできる。
【符号の説明】
【００３７】
１  紙芝居収納具（紙芝居整理ワゴン）
２  搬出入口
３  紙芝居セット収納室
４  紙芝居セット収納室の載置部
５  載置部を構成する得前側支持板
６  載置部を構成する後側支持板
７  紙芝居収納具の側板
８  紙芝居収納具の背面板
９  紙芝居収納具の天板
１０  紙芝居収納具の底板
１１  キャスター
１２  仕切板
１３  側板の切欠き縁部
１４  仕切板の前端縁
１５  把持用の貫通孔
１６  水平板
１７  追加の収納室
１８  立て板
１９  ストッパ部
Ｓ  紙芝居セット
【図１】
0003173574.tif 000003
【図２】
0003173574.tif 000004
【図３】
0003173574.tif 000005